(57)【要約】【課題】筆跡や筆記感に方向性が生じるおそれがなく、しかも、様々な筆記感に設定することできるペン先を提供する。【解決手段】ペン先１は、繊維加工体または合成樹脂多孔質体よりなる中芯２と、該中芯２の外周面を保持するホルダー３とからなる。ホルダー３を合成樹脂またはゴム弾性材料の圧縮成形により構成する。ホルダー３の先端部に中芯２の先端近傍を覆う周状被覆部３１を一体に形成する。周状被覆部３１の先端から中芯２の先端部を前方に突出させる。筆記時、筆記圧により中芯２の先端を弾性変形させ、中芯２の先端及び周状被覆部３１の先端を同時に被筆記面に接触させる。中芯２の先端部が周状被覆部３１の先端から突出する軸方向の突出長さＬを、周状被覆部３１の先端開口部の内径Ｄ以下に設定する。【選択図】  図３
2005131944.tif 000002
【特許請求の範囲】
【請求項１】
繊維加工体または合成樹脂多孔質体よりなる中芯と、該中芯の外周面を保持するホルダーとからなるペン先であって、前記ホルダーを合成樹脂またはゴム弾性材料の圧縮成形により構成し、前記ホルダーの先端部に中芯の先端近傍を覆う周状被覆部を一体に形成し、前記周状被覆部の先端から前記中芯の先端部を前方に突出させ、筆記時、筆記圧により中芯の先端部を弾性変形させ、中芯の先端及び周状被覆部の先端を同時に被筆記面に接触させてなることを特徴とするペン先。
【請求項２】
前記中芯の先端部が周状被覆部の先端から突出する軸方向の突出長さを、前記周状被覆部の先端開口部の内径以下に設定した請求項１記載のペン先。
【請求項３】
前記ホルダーが熱硬化性樹脂からなる請求項１または２記載のペン先。
【請求項４】
前記ホルダーがゴムまたはエラストマーからなる請求項１または２記載のペン先。  
【発明の詳細な説明】
【技術分野】
【０００１】
本発明は、ペン先に関する。詳細には、繊維加工体または合成樹脂多孔質体よりなる中芯と、該中芯の外周面を保持するホルダーとからなるペン先に関する。尚、本発明で「前」とはペン先側を指し、「後」とはその反対側を指す。
【背景技術】
【０００２】
従来、この種のペン先として、繊維束の樹脂加工体よりなる中芯と、該中芯の外周面を被覆する合成樹脂の押出成形体よりなる外皮とからなるペン先が知られている。（例えば特許文献１）
【０００３】
しかし、前記従来のペン先は、押出成形により外皮を設ける構成のため、中芯の形状ばらつきや、外皮と中芯との成形時の芯ズレにより、外皮の肉厚が不均一となり、筆跡や筆記感に方向性が生じるおそれがある。また、前記従来のペン先は、ホルダーの形状設定やホルダーの材料選択の自由度が小さいため、様々な筆記感に設定すること（即ち、筆記時の被筆記面との摺動抵抗を調節したり、筆記時の被筆記面とのタッチの硬さを調節すること）が困難である。特に、ホワイトボードマーカー等の筆記板用筆記具は、すべてのペン先が被筆記面を滑るような筆記感に設定されており、ユーザーの中にはこの筆記感に満足していない者もいた。
【特許文献１】特公昭５７−３０３９８号公報
【発明の開示】
【発明が解決しようとする課題】
【０００４】
本発明は、前記従来の問題点を解決するものであって、筆跡や筆記感に方向性が生じるおそれがなく、しかも、様々な筆記感に設定することできるペン先を提供しようとするものである。
【課題を解決するための手段】
【０００５】
〔１〕本発明は、繊維加工体または合成樹脂多孔質体よりなる中芯２と、該中芯２の外周面を保持するホルダー３とからなるペン先１であって、前記ホルダー３を合成樹脂またはゴム弾性材料の圧縮成形により構成し、前記ホルダー３の先端部に中芯２の先端近傍を覆う周状被覆部３１を一体に形成し、前記周状被覆部３１の先端から前記中芯２の先端部を前方に突出させ、筆記時、筆記圧により中芯２の先端部を弾性変形させ、中芯２の先端及び周状被覆部３１の先端を同時に被筆記面８に接触させてなること（請求項１）を要件とする。
【０００６】
前記請求項１により、筆記時、筆記圧により中芯２の先端部が弾性変形し、中芯２の先端及び周状被覆部３１の先端が同時に被筆記面８に接触するため、筆記感は、中芯２と被筆記面との接触よりも周状被覆部３１と被筆記面８との接触によって大きく影響を受ける。そして、前記ホルダー３が、合成樹脂またはゴム弾性材料の圧縮成形により形成されることにより、前記ホルダー３の先端部に一体に形成される周状被覆部３１の形状設定や材料選択の自由度が広がる。そのため、周状被覆部３１と被筆記面８との摺動抵抗の大きさや、周状被覆部３１と被筆記面８とのタッチの硬さを自由に設定でき、筆記時の筆記感を、様々なユーザーの要望に応じて設定できる。また、ホルダー３が圧縮成形よりなるため、中芯２と周状被覆部３１との成形時の芯ズレの発生が抑えられ、均一肉厚の周状被覆部３１を得ることができ、筆跡や筆記感に方向性が生じるおそれがない。
【０００７】
〔２〕前記請求項１のペン先１において、中芯２の先端部が周状被覆部３１の先端から突出する軸方向の突出長さＬを、前記周状被覆部３１の先端開口部の内径Ｄ以下に設定したこと（請求項２）が好ましい（図３参照）。それにより、筆記時、中芯２の先端部が折れ曲がって周状被覆部３１と被筆記面８との間に挟まれるおそれがなく、被筆記面８と周状被覆部３１との適正な接触が得られる（図４参照）。もし、中芯２の先端部が周状被覆部３１の先端から突出する軸方向の突出長さＬが、前記周状被覆部３１の先端開口部の内径Ｄより大きい場合、中芯２の先端部が折れ曲がり、周状被覆部３１と被筆記面８との間に挟まれ、被筆記面８と周状被覆部３１との適正な接触が得られないおそれがある。
【０００８】
〔３〕前記請求項１または２のペン先１において、前記ホルダー３が熱硬化性樹脂からなること（請求項３）が好ましい。それにより、比較的硬質（ハード）なタッチで、摺動抵抗が比較的小さいペン先が得られる。
【０００９】
前記熱硬化性樹脂は、例えば、エポキシ樹脂、フェノール樹脂、ユリア樹脂、尿素樹脂、ウレタン樹脂、メラミン樹脂、不飽和ポリエステル樹脂、アルキド樹脂等が挙げられる。
【００１０】
〔４〕前記請求項１または２のペン先１において、前記ホルダー３がゴムまたはエラストマーからなること（請求項４）が好ましい。それにより、比較的軟質（ソフト）なタッチで、摺動抵抗が比較的大きいペン先が得られる。
【００１１】
前記ゴムは、例えば、アクリルゴム、スチレン−ブタジエンゴム、ニトリルゴム、クロロプレンゴム、エチレン−プロピレンゴム、ブチルゴム、フッ素ゴム、シリコーンゴム、ウレタンゴム等の合成ゴム、または天然ゴムが挙げられる。
【００１２】
前記エラストマーは、熱可塑性エラストマー（スチレン系、オレフィン系、ウレタン系、ポリアミド系、ポリエステル系など）が挙げられる。                          
【発明の効果】
【００１３】
請求項１のペン先により、筆跡や筆記感に方向性が生じるおそれがなく、しかも、様々な筆記感に設定することできる。
【００１４】
請求項２のペン先により、筆記時、中芯の先端部が折れ曲がって周状被覆部と被筆記面との間に挟まれるおそれがなく、被筆記面と周状被覆部との適正な接触が得られる。
【００１５】
請求項３のペン先により、比較的硬いタッチで、摺動抵抗が比較的小さいペン先が得られる。
【００１６】
請求項４のペン先により、比較的軟らかいタッチで、摺動抵抗が比較的大きいペン先が得られる。
【発明を実施するための最良の形態】
【００１７】
本発明を実施するための最良の形態を、以下、図面に従って説明する。
〔第１の実施の形態〕
【００１８】
図１に本発明のペン先１を適用した筆記具４の第１の実施の形態を示す。
本実施の形態の筆記具４は、ペン先１と、該ペン先１を保持するペン先保持筒６と、該ペン先保持筒６内に固定される中芯保持筒７と、前記ペン先保持筒６が先端部に取り付けられた軸筒５と、該軸筒５内に収容されるインキ吸蔵体５１とからなる中綿式筆記具である。
【００１９】
・ペン先
前記ペン先１は、繊維束の樹脂加工体または合成樹脂の多孔質体よりなる中芯２と、該中芯２が内部に挿入され、該中芯２の外周面を保持する合成樹脂またはゴム弾性材料よりなるホルダー３とからなる。前記ホルダー３の先端部には、中芯２の先端近傍を覆う均一肉厚を有する周状被覆部３１が一体に形成される。前記周状被覆部３１の先端から中芯２の先端部が前方に突出される。前記中芯２の先端部が周状被覆部３１の先端から突出する軸方向の突出長さＬは、前記周状被覆部３１の先端開口部の内径Ｄ以下に設定されている。好ましくは、前記中芯２の突出長さＬは、周状被覆部３１の先端開口部の内径Ｄの１５％〜７０％に設定され、それにより、中芯２先端部の十分な折れ曲がり防止性と同時に、筆跡のかすれのない円滑なインキ流出性が得られる。
【００２０】
・ホルダー
前記ホルダー３は、合成樹脂またはゴム弾性材料の圧縮成形により得られる。前記ホルダー３の周状被覆部３１は、先端に向かうに従い薄肉形状となっている。本実施例では、前記周状被覆部３１は完全な環状であるが、これ以外にも、周状被覆部３１に切り欠き状のスリットを設けることもできる。また、前記ホルダー３の外周面には、鍔部３２が形成される。前記鍔部３２が、ペン先保持筒６の先端に当接されるとともに、前記鍔部３２後方のホルダー３外周面が、ペン先保持筒６の先端開口部内周面に圧入固着される。前記鍔部３２後方のホルダー３外周面及び前記鍔部３２後面には、空気溝３３が形成され、インキ消費に伴い、前記空気溝３３を介して軸筒５外部から軸筒５内部へ空気が取り込まれる。
【００２１】
・中芯
前記中芯２の先端部は、半球面状となっている。それにより、筆記方向や筆記角度が異なる場合でも、一定の筆跡が得られる。また、前記ホルダー３の後端より後方に突出する中芯２の外周面に環状の係合凹部２１が形成される。また、前記中芯２の後端部は、インキ吸蔵体５１の先端部に突き刺し接続され、それにより、中芯２の先端にインキが供給可能となる。
【００２２】
・ペン先保持筒
前記ペン先保持筒６は、先細形状を有する筒状体であり、後部の内周面が軸筒５の先端開口部の外周面に螺着される。また、前記ペン先保持筒６の内周面には内側段部６１が形成される。
【００２３】
・中芯保持筒
前記中芯保持筒７の外周面は、ペン先保持筒６の内周面に圧入される。前記中芯保持筒７の内周面には、係合凸部７１が形成され、該係合凸部７１が、中芯２の係合凹部２１に係合される。それにより、中芯２の前後方向のがたつきが防止される。また、前記中芯保持筒７の後端には鍔部７２が形成される。前記鍔部７２が、前記ペン先保持筒６の内側段部６１と軸筒５の先端とによって、前後方向に挟持される。それにより、前記ペン先保持筒６の内部に前記中芯保持筒７が固定される。
【００２４】
・インキ吸蔵体
前記インキ吸蔵体５１は繊維収束体よりなる。前記インキ吸蔵体５１には、筆記板用の顔料インキが含浸されている。本実施の形態により、様々な筆記感に設定可能な筆記板用筆記具を得る。
【００２５】
〔第２の実施の形態〕
【００２６】
図２に本発明のペン先１を適用した筆記具４の第２の実施の形態を示す。
本実施の形態の筆記具４は、中芯２とホルダー３からなるペン先１と、該ホルダー３内に固定される中芯保持筒７と、前記ホルダー３が先端部に取り付けられた軸筒５と、該軸筒５内に収容されるインキ吸蔵体５１とからなる中綿式筆記具である。。
【００２７】
・ペン先
前記ペン先１は、繊維束の樹脂加工体または合成樹脂の多孔質体よりなる中芯２と、該中芯２が内部に挿入され、該中芯２の外周面を保持する合成樹脂またはゴム弾性材料よりなるホルダー３とからなる。前記ホルダー３の先端部には、中芯２の先端近傍を覆う均一肉厚を有する周状被覆部３１が一体に形成される。前記周状被覆部３１の先端から中芯２の先端部が前方に突出される。前記中芯２の先端部が周状被覆部３１の先端から突出する軸方向の突出長さＬは、前記周状被覆部３１の先端開口部の内径Ｄ以下に設定されている。好ましくは、前記中芯２の突出長さＬは、周状被覆部３１の先端開口部の内径Ｄの１５％〜７０％に設定され、それにより、中芯２先端部の十分な折れ曲がり防止性と同時に、筆跡のかすれのない円滑なインキ流出性が得られる。
【００２８】
・ホルダー
前記ホルダー３は、合成樹脂またはゴム弾性材料の圧縮成形により得られる。前記ホルダー３の周状被覆部３１は、先端に向かうに従い薄肉形状となっている。前記ホルダー３は、図１のペン先保持筒６の機能を備えており、前記ホルダー３の後部が、軸筒５の先端部に螺着される。また、前記ホルダー３の周状被覆部３１の内周面に軸方向に延びる空気溝３４が形成される。前記空気溝３４を介して、インキ消費に伴い、軸筒５外部から軸筒５内部へ空気が取り込まれる。また、前記ホルダー３の内周面には内側段部３５が形成される。
【００２９】
・中芯
前記中芯２の先端部は、半球面状となっている。それにより、筆記方向や筆記角度が異なる場合でも、一定の筆跡が得られる。また、前記中芯２の中間部の外周面には環状の係合凹部２１が形成され、前記係合凹部２１に中芯保持筒７が係止される。それにより、中芯２の前後方向のがたつきが防止される。前記中芯２の後端部は、インキ吸蔵体５１の先端部に突き刺し接続され、それにより、中芯２の先端にインキを供給可能となる。
【００３０】
・中芯保持筒
前記中芯保持筒７の外周面は、ホルダー３の内周面に圧入される。前記中芯保持筒７の内周面には、係合凸部７１が形成され、前記係合凸部７１が、中芯２の係合凹部２１に係合される。それにより、中芯２の前後方向のがたつきが防止される。また、前記中芯保持筒７の後端には鍔部７２が形成される。前記鍔部７２が、前記ホルダー３の内側段部３５と軸筒５の先端とによって、前後方向に挟持される。それにより、前記ホルダー６の内部に前記中芯保持筒７が固定される。
【００３１】
前記インキ吸蔵体５１は、繊維収束体よりなる。前記インキ吸蔵体５１には、筆記板用用の顔料インキが含浸されている。本実施の形態により、様々な筆記感に設定可能な筆記板用筆記具を得る。
【実施例１】
【００３２】
前記第１の実施の形態の筆記具４において、本実施例は、ホルダー３が、ニトリルゴムの圧縮成形体であり、中芯２が、ポリエステル繊維のウレタン樹脂加工体（空隙率５０％）よりなる。前記中芯２の先端部が周状被覆部３１先端から突出する軸方向の突出長さＬが１．６ｍｍであり、前記周状被覆部３１の先端開口部の内径Ｄが３．０ｍｍであった。本実施例の筆記具４を、ホワイトボード（被筆記面８）に手書きにより筆記した結果、筆記圧（略８０ｇ）、筆記角度（略６０度）において、摺動抵抗力は略６０ｇの比較的大きい値であった。また、筆記時のペン先１と被筆記面８との接触によるタッチ感は比較的軟らかいものであった。
【実施例２】
【００３３】
前記第２の実施の形態の筆記具４において、本実施例は、ホルダー３が、ユリア樹脂の圧縮成形体であり、中芯２が、アクリル繊維のエポキシ樹脂加工体（空隙率４５％）よりなる。前記中芯２の先端部が周状被覆部３１の先端から突出する軸方向の突出長さＬが２．５ｍｍであり、周状被覆部３１の先端開口部の内径Ｄが４．０ｍｍであった。本実施例の筆記具４を、ホワイトボード（被筆記面８）に手書きにより筆記した結果、筆記圧（略８０ｇ）、筆記角度（略６０度）において、摺動抵抗力は略２０ｇの比較的小さい値であった。また、筆記時のペン先１と被筆記面８との接触によるタッチ感は、固形のチョークような比較的硬いものが得られると同時に、固形のチョークようなペン先１と被筆記面８との当接時に心地よいタッチ音（例えばカチカチ音）が得られる。
【図面の簡単な説明】
【００３４】
【図１】本発明のペン先を適用した筆記具の第１の形態を示す縦断面図である。
【図２】本発明のペン先を適用した筆記具の第２の形態を示す縦断面図である。
【図３】本発明のペン先の先端部を示す拡大縦断面図である。
【図４】筆記時の本発明のペン先の先端部を示す拡大縦断面図である。
【符号の説明】
【００３５】
１  ペン先
２  中芯
２１  係合凹部
３  ホルダー
３１  周状被覆部
３２  鍔部
３３  空気溝
３４  空気溝
３５  内側段部
４  筆記具
５  軸筒
５１  インキ吸蔵体
６  ペン先保持筒
６１  内側段部
７  中芯保持筒
７１  係合凸部
７２  鍔部
８  被筆記面
Ｌ  中芯の先端部が周状被覆部の先端から突出する軸方向の突出長さ
Ｄ  周状被覆部の先端開口部の内径
【図１】
2005131944.tif 000003
【図２】
2005131944.tif 000004
【図３】
2005131944.tif 000005
【図４】
2005131944.tif 000006